(57)【要約】      （修正有）【課題】取り付け形状や寸法の違いのある市販のトーンアームをレコードプレーヤーの所定の位置に簡単かつ強固に取り付ける構造を実現する。【解決手段】頭部に径大の係止部を持つ筒状の取り付け筒１に、アーム２３のシャフト２７を挿通、固定し、これをレコードプレーヤーのベースに設けた長穴５に装着する。また、アームをレコードプレーヤーボードに取り付ける際に用いる取り付け筒のトーンアームの取り付けシャフトの挿通孔の断面に少なくとも開角で１８０度以内の位置に２条の突起部を垂直方向に形成すると共に、この２条の突起部の対面側に固定用ねじ穴を設け固定ねじ２によりアームのシャフトを取り付け筒に３方面から固定する。【選択図】図１
2017182864.tif 000002
【特許請求の範囲】
【請求項１】
頭部に径大の係止部を持つ筒状の取り付け筒に、トーンアームの取り付けシャフトを挿通、固定し、これをレコードプレーヤーのベースに設けた長穴に装着したことを特徴とするレコードプレーヤーのトーンアームの取り付け構造。
【請求項２】
トーンアームをレコードプレーヤーボードに取り付ける際に用いる取り付け筒のトーンアームの取り付けシャフトの挿通孔の断面に少なくとも開角で１８０度以内の位置に２条の突起部を垂直方向に形成すると共に、この２条の突起部の対面側に固定用ねじ穴を設け固定ねじによりトーンアームのシャフトを取り付け筒に３方面から固定したことを特徴とするレコードプレーヤーのトーンアームの取り付け構造。
【請求項３】
頭部に径大の係止部を持つ筒状の取り付け筒に、トーンアームの取り付けシャフトを挿通、固定し、これをレコードプレーヤーのベースに設けた長穴に装着する請求項１記載のレコードプレーヤーのトーンアームの取り付け構造において、前記長穴に取り付け筒の頭部に設けられたフランジ部が埋設可能な径大の長穴段部を設けたことを特徴とするコードプレーヤーのトーンアームの取り付け構造。
【請求項４】
プレーヤーボードに設けられた長穴部を覆うことができるシート状のカバーを長穴部上面に設置した請求項１ないし３記載のレコードプレーヤーのトーンアームの取り付け構造。
【発明の詳細な説明】
【技術分野】
【０００１】  本発明は、ＬＰやＳＰといったアナログレコードの再生装置、すなわちレコードプレーヤーにおけるトーンアームをレコードプレーヤーのボード部への取り付け構造の改良に関する。
【背景技術】
【０００２】  レコードプレーヤーの主要構造は、回転するターンテーブル部とカートリッジを取り付けるトーンアーム部で構成される。レコードプレーヤーは、レコードプレーヤーのボード部にターンテーブル部とトーンアーム部を取り付けて一体として製品化されるものも多いが、高度な音質を追求するオーディオマニアは、異なるメーカーのターンテーブル部とトーンアーム部をそれぞれ自由に組み合わせて使用することも多い。トーンアームはメーカーによって取り付け部分の形状も取り付け位置もさまざまで、ターンテーブルメーカーはアームの取り付け部分のボード形状には悩まされているのが現状である。【０００３】  トーンアームは大きく分けてアーム部の長さにより一般的なショートタイプと、ロングタイプに分かれる。ロングアームは延長用のボードを追加するなどの工夫をすることで対応するが、ここでは一般的なショートアームに限定すれば取り付け部分のみを、例えば直径１００ｍｍ程度の比較的大径の円盤形の取り付けベースを作り、レコードプレーヤーの筺体に穿った同径の穴にはめ込んで固定する手段がある。そして、この取り付けベースを各種のトーンアームに合致した穴位置のものを複数用意しておき、取り付けるトーンアーム用の取り付けベースを選択して用いるものがある。この場合も、各種のトーンアーム用の取り付けベースを用意する必要があるし、一般的でないトーンアームの場合は、別途所定の取り付け位置に穴を穿ったものをその都度作成しなければならず、トーンアームを取り替えようとすると大変手間のかかるのが現状であった。
【発明の概要】
【発明が解決しようとする課題】
【０００４】この発明は、いかなるメーカーのトーンアームであっても形状に制約を受けることなく、ターンテーブル部に取り付けるようにすればユーザーの利便性を高められる。すなわちこの発明は、さまざまな取り付け形状や取り付け寸法の違いのある市販のトーンアームをレコードプレーヤーのターンテーブル部の所定の位置に簡単に取り付けられる取り付け構造を提供することにある。
【課題を解決するための手段】
【０００５】  そして、本発明は上記目的を達成するために、市販のトーンアームの取り付けシャフト部が挿通可能な内径の挿通孔を有し、頭部にフランジ部がある取り付け筒を準備し、この取り付け筒にトーンアームの取り付けシャフトを挿通し、固定ねじ等で固定し、これをレコードプレーヤーのベースに設けた長穴に装着する。この長穴部の短径は取り付け筒の外径と同寸法とすれば、短径方向への移動はなく、長径方向に移動可能となっており、ターンテーブル部とトーンアームの取り付け距離が調整できる。なお、この長穴は、両端が半円形の長穴が最も一般的であるが、一定距離の移動が可能であれば、形状は長方形等としてもよい。取り付け筒は、上部のフランジ部により、レコードプレーヤーのボードに係止され、ボード裏面は、取り付け筒の外部に加工した雄ねじ部を設けておけばナットで容易に、かつ強固に固定できる。以上が第一の発明の構成である。【０００６】  また、第２の課題解決手段は、トーンアームをレコードプレーヤーボードに取り付ける際に介在させる取り付け筒のトーンアームの取り付けシャフト部の挿通孔の断面に少なくとも開角で１８０度以内の位置に２条の突起部を垂直方向に形成し、この２条の突起部の対面側に固定用ねじ穴を設けたものである。【０００７】  さらに、第３の課題解決のための手段は、トーンアームをレコードプレーヤーボードの長穴に、取り付ける際に介在させる取り付け筒の頭部に設けられたフランジ部が埋設可能な径の大きい段部を設けたものである。これにより、フランジ部はプレーヤーボード面に埋設され、プレーヤーボード表面から突出しなくなる。【０００８】  さらに、第４の課題解決のための手段は、トーンアームを取り付けるプレーヤーボードの長穴部を覆うシート状のカバーを設置したものである。これにより、長穴部の上面はカバーにより覆われる。
【発明の効果】
【０００９】  以下、この発明についての効果を説明する。【００１０】  この発明は、トーンアームを取り付けるメーカーのベースは様々であっても、トーンアームのセンターシャフトの径は１２ｍｍ程度から最大２０．５ｍｍの範囲にほとんどが入っている。そこで、取り付け筒を別途用意し、この内部に少なくとも直径２０．５ｍｍか、それより僅かに径の大きい穴を設ければ、殆どのトーンアームのシャフトは挿通可能になる。このとき取り付け筒の外径は一定なので、レコードプレーヤーのボードにトーンアームのシャフトに合わせた径の穴を設ける必要はないし、シャフト径に応じた取り付けベースを用意する必要もない。【００１１】  ただ、トーンアームは機種により、ターンテーブルの中心との取り付け距離は異なるが、これについても多く使われているショートタイプのトーンアームを調べると、ターンテーブルの中心とアームの中心の距離は２２５ｍｍ±１０ｍｍにほとんどは入っていることが判明した。つまり、取り付け筒が±１０ｍｍ程度移動できる構造にすれば万能に近いトーンアームの取り付けが実現できる。そこで取り付け筒を挿入するプレーヤーベースの孔を長穴とすることで取り付け距離の調整が可能になる。この穴形状は長穴が最も自然ではあるが、±１０ｍｍの移動が可能で有れば、形状は長方形や円形でも構わない。【００１２】  また、取り付け筒へのトーンアームのシャフトの固定は、取り付け筒にシャフトを固定する。シャフトの固定は、取り付け筒の側面に一箇所または複数箇所設けたねじ穴に止めねじをねじ込んでシャフトを止めねじの反対側の挿通孔面に押し付けて固定する。止めねじは、無頭の物を用い、頭部が取り付け筒のねじ穴内に収まる長さのものを選択すれば、止めねじの頭部が取り付け筒の外周に突出することがないのでプレーヤーボードの長穴面に引っ掛かることもない。【００１３】  更に、取り付け筒は、上部にフランジ状の径の大きい外周部があるので、プレーヤーボードの長穴に取り付けた際、上部はフランジ部の張り出し部分でプレーヤーボードに固定される。一方、取り付け筒の外周に雄ねじ加工をしておけば、固定用のナットで下部からプレーヤーボードに固定すればトーンアームの取り付けが完了する。【００１４】  また、本発明では、取り付け筒へのトーンアームシャフトのより強固な固定のため、取り付け筒のトーンアームの取り付けシャフト部の挿通孔の断面に少なくとも開角で１８０度以内の位置に２条の突起部を形成し、この２条の突起部の対面側に固定用ねじ穴を設けたものである。２条の突起部の形成手段はさまざまなものが考えられるが、例えば比較的容易に形成する手段として、取り付け筒の中心にトーンアームシャフトが挿通できる径の断面が円の孔を穿ち、次にこの円より径の小さな円の孔を偏心させて形成する。こうすれば、挿通項孔の断面は、概略英数字の８のような断面形状となり、２条の突起が形成される。また、突起は孔を構成する円の径が異なることから、径の小さい孔側に寄って形成される。そこでこれら２条の突起部の対面側に固定ねじ穴を設ければ、トーンアームの取り付けシャフト部は、２点の突起部とその対面側からねじ込まれた固定ねじにより３点で支持され強固に固定することができる。なお、固定ねじ穴は、シャフトの挿入方向に沿って２箇所あるいはそれ以上形成してもよい。【００１５】  本発明では、取り付け筒上部にフランジ状のの径大部を設け、プレーヤーベースの長穴に係止されるようにしているが、このフランジ部がベースの上部に突出していると、トーンアームの取り付け許容範囲に影響が出たり、また外観上好ましくないことがあり対策が求められる場合もある。そこで、プレーヤーベースの長穴部に、少なくともフランジ部の厚さでかつフランジ部の外径が収納できる径の大きい長穴部を階段状に設ける。こうすることによりフランジ部は、プレーヤーベースの上面に埋設されることになり、トーンアームの取り付け上の寸法制限を回避することができる。また、フランジ部による突出段部がなくなるので外観の向上にもなる。【００１６】  また、取り付け筒は、トーンアームとターンテーブルとの距離調節可能なようにプレーヤーボードに設けた長穴に取り付けることから、どうしても長穴端部が露出して外観を損ねてしまう。そこで長穴を隠すのに必要な大きさの板状の部材を取り付け部上面に配置することで長穴部を覆って外観を保つことができる。板状の部材の形状は、長穴を完全に覆うことができるものであれば特に制限はない。一般的には、円形のもの、図４に示した中央部に取り付け筒を挿通させる穴を持ち、外形は円形の両端をカットした形状のものなどが考えられる。【００１７】  以上説明したように、この発明によれば、トーンアームの取り付けシャフトに筒状の取り付け筒を介在させてレコードプレーヤーのボードに設けた長穴に位置調整可能でトーンアームを取り付けたので、ターンテーブル部とトーンアーム部を異なるメーカーの製品を任意に組み合わせて容易に取り付けることができる。しかも、特別な取り付けのためのボードを用意する必要もない。また、取り付け筒の内部に２条の突起部を形成して止めねじとで形成される３点での支持、固定を行うことでトーンアームを強固に固定できる。更に本発明によれば、取り付け筒に形成されたフランジ部をプレーヤーボードの上面から突出しないように、径大の長穴を設けたことで、取り付け寸法上の制約を回避し、外観を良くする効果もある。
【図面の簡単な説明】
【００１８】
【図１】本発明の実施形態を示す組立状態を示す部分断面図である。
【図２】本発明で用いる取り付け筒の構造を示す平面図及び部分断面図である。
【図３】本発明の取り付け筒のフランジ部を埋め込めるように形成したプレーヤーボードの長穴の構造と取り付け筒の関係を示す平面図である。
【図４】本発明のトーンアームの取り付け部の上面を覆うカバーの形状を示す平面図である。
【図５】従来からのターンテーブル部へのトーンアーム部を取り付ける一般的な構造を示す部分断面図である。
【発明を実施するための形態】
【００１９】  以下、本発明の実施の形態を図１ないし図５に基づいて説明する。
【００２０】  図５は一般的なレコードプレーヤーへのトーンアームの取り付け構造を示した部分断面図である。トーンアームは、先端にカートリッジ２１を取り付けるためのヘッドシェル２２が装着され、筒状のアーム２３は、垂直あるいは水平に移動可能なベアリング、ナイフエッジなどの支持構造を持つ支持体２４につながっている。また、アーム２３は支持体２４の後方に突出し、ここにトーンアームのバランスをとるカウンターウェイト２５が取り付けられている。そしてカートリッジ２１で変換された音響信号は、リード線２６を通じてカートリッジ２１の出力端からアーム２３の内部を通り、支持体２４の内部を経由して取り付けシャフト２７内を通じて外部に接続できるようになっている。そして、取り付けシャフト２７は、プレーヤーボード２８の所定の位置に穿たれた挿通孔に差し込まれ、シャフト２７の外周に形成された雄ねじに固定用ナット２９を取り付け固定したものである。
【００２１】  図５の従来例は、トーンアームの位置が決まっている場合を示したが、異なるメーカーのトーンアームを取り付ける場合、本発明の目的のようにトーンアームのシャフト２７の位置が移動できるようにする必要がある。
【００２２】  図１は、この発明のトーンアームの取り付け構造を示した部分断面図である。トーンアーム自体は従来品と変更ないので、同じ構成要素には同じ符号を付している。取り付けシャフト２７は、円筒状の取り付け筒１に挿通され、取り付け筒１の側面に形成された雌ねじ孔９に止めねじ２装着してシャフト２７を取り付け筒１の挿通孔の反対面に押しつけて固定する。取り付け筒１は、径大の上部フランジ部３が形成してある。
【００２３】  次に、トーンアームのシャフト２７を挿通して固定した取り付け筒１は、プレーヤーボード４に少なくとも取り付け筒１が挿入可能な幅で、所定の移動距離のとれるだけの長径を持つ長穴５が設けられており、ここに取り付け筒１を挿入すれば上部のフランジ部３によりプレーヤーボード４の長穴５に係止される。また、取り付け筒ＹＹの外周に雄ねじ溝を形成しておき、ここに固定用ナット６を装着して固定すれば、プレーヤーボード４への取り付けが完了する。
【００２４】  図２は、この発明で使用する取り付け筒１の構造を説明したもので、筒状の内部には、トーンアームの取り付けシャフト２７が挿通可能な内径の貫通孔７が設けられている。
【００２５】  図２は、また第２の本発明の実施形態も示している。取り付け筒１の挿通孔７にトーンアームの取り付けシャフト２７を止めねじ２で固定することで、一定の固定強度は得られるが、特に取り付けシャフト２７と取り付け筒１の挿通孔７の径の差が大きいと円周面へ取り付けシャフトを押し付けているため、安定した固定強度が得られないおそれがある。そこで本発明では、図２の平面図にあるように、中心部に取り付けシャフト２７を挿通させるための円形の孔を設けると共に、これより径の小さい円形の穴をセンターから偏心させて穿ったものである。これにより、取り付け筒１には、数字の８の字形の外径の挿通孔７が形成され、垂直方向に２条の突起部８が形成される。そして、止めねじの孔９をこれら突起部８の対面側に設けて取り付けシャフト２７を固定すれば、取り付けシャフト２７は２つの突起部８と止めねじ２で３方向、すなわち３点で固定されるので、安定した固定強度が得られる。なお、図では垂直方向での固定を強固にするため、止めねじ孔９は、フランジ部３の側面と取り付け筒の略中央部側面の２箇所に設けているが、特に位置や数は限定されるものではない。また、取り付け筒１の２条の突起部８の位置は、あまり離間して開角が１８０度付近になると３点支持が構成できないので、開角は１８０度近くとしないのが好ましい。また、この２条の突起部８形成は、図では径の異なる円形の孔を偏心させて形成したが、他の形成手段であってもよい。
【００２６】  次に図３は、第３の本発明の実施形態を説明したもので、プレーヤーボード４に形成された長穴の形状を示した平面図である。プレーヤーボード４に取り付け筒１の外径が挿入できる幅の長穴５のみを形成した場合、取り付け筒１の上部の径大のフランジ部３は、プレーヤーボード４の上面に突出することになる。そうすると、トーンアームの高さ方向の取り付け許容値に入らなかったり、外観上好ましくなかったりする場合がある。そこで本発明では、取り付け筒１のフランジ部３の高さと径が入るより広い長穴１０を階段上に設けたものである。こうすれば、フランジ部３の突出部分はプレーヤーボード４の上面と同一面に収まり、トーンアームの高さ方向の取り付けに支障が出ることはない。また、外観も良くなる効果もある。
【００２７】  更に図４は、この発明のトーンアーム取り付け部の上面を覆うカバー１１を示している。この発明では、トーンアームを長穴５に取り付ける関係から、どうしても長穴５や広い長穴１０の端部が露出してしまうことがある。そこで、図に示すような中央部に取り付け筒１を挿通できる穴を持つカバー１１を装着してトーンアームを取り付ければ、外観も良く、防じん効果もある。なおカバー１１の形状は、長穴５及び広い長穴１０を覆うことができる形状であれば特に限定されるものではない。図４は、円形のシートの両端を除去して、長穴及び広い長穴１０を覆うようにしたものである。また、材質も特に限定されるものでなく、金属、プラスチック、木あるいはこれらの複合材であっても構わない。
【００２８】  なお、このカバー１１は、取り付け筒１のフランジ部３をプレーヤーボード４の上面に埋め込まないで取り付けるときには、フランジ部３の下面に装着すればよく、フランジ部３を埋め込んで装着するときは、フランジ部３とトーンアームの支持体２４の下面部との間に装着すればよい。
【符号の説明】
【００２９】１        取り付け筒
２        止めねじ
３        フランジ部
４、２８  プレーヤーボード
５        長穴
６、２９  固定用ナット
７        貫通孔
８        突起部
９        止めねじ孔
１０      広い長穴
１１      カバー
２１      カートリッジ
２２      ヘッドシェル
２３      アーム
２４      支持体
２５      カウンターウェイト
２６      リード線
２７      シャフト
【図１】
2017182864.tif 000003
【図２】
2017182864.tif 000004
【図３】
2017182864.tif 000005
【図４】
2017182864.tif 000006
【図５】
2017182864.tif 000007